(57)【特許請求の範囲】
【請求項１】
アクティブメガネによる立体視画像の視差設定を表す情報を送信する方法であって、前記視差設定は順次的に表示される前記立体視画像の３次元効果の異なるレベルのそれぞれに対応し、前記立体視画像は、前記３次元効果の異なるレベルにおける異なる２つの視点による同じシーンを表す第１の画像と少なくとも第２の画像を有し、
前記アクティブメガネが、ある決定された時間に前記視差設定を表す情報を送信することを有し、前記視差設定を表す情報は、前記３次元効果の異なるレベルの中からユーザにより設定されたレベルを含み、前記決定された時間は、前記アクティブメガネのレンズが確立されたオープン状態又はクローズド状態にある時間スロットに属する、方法。
【請求項２】
前記アクティブメガネのレンズが確立されたオープン状態又はクローズド状態にある時間スロットは、同期信号の受信時間により決まることを特徴とする、
請求項１に記載の方法。
【請求項３】
前記送信する時間は、前記アクティブメガネの一レンズが確立されたオープン状態又はクローズド状態にある時間スロットの始めに属することを特徴とする、
請求項１ないし２いずれか一項に記載の方法。
【請求項４】
送信前に、視差設定を表す情報をメモリに記憶するステップをさらに有することを特徴とする、
請求項１ないし３いずれか一項に記載の方法。
【請求項５】
前記視差設定を表す情報は無線伝送チャンネルを介して送信されることを特徴とする、
請求項１ないし４いずれか一項に記載の方法。
【請求項６】
前記立体視画像は、第１の画像と少なくとも２つの第２の画像を含むビデオストリームに属し、異なる視差設定が各第２の画像に関連付けられていることを特徴とする、
請求項１ないし５いずれか一項に記載の方法。
【請求項７】
３次元効果の異なるレベルにおける第１の画像と第２の画像を含む立体視画像の視差設定を表す情報を送信するように構成されたアクティブメガネであって、前記視差設定は順次的に表示される前記立体視画像の前記３次元効果の異なるレベルのそれぞれに対応し、前記アクティブメガネは視差設定を表す前記情報を送信するように構成された送信器を有し、
前記アクティブメガネのレンズが確立されたオープン状態又はクローズド状態にある時間スロットに属する、前記視差設定を表す情報の送信時間を決定するように構成された計算ユニットを有し、
前記視差設定を表す情報は、前記３次元効果の異なるレベルの中からユーザにより設定されたレベルを含む、アクティブメガネ。
【請求項８】
前記第１と第２の画像の表示シーケンスを表す情報を含む同期信号を受信するように構成された受信器をさらに有する、
請求項７に記載のアクティブメガネ。
【請求項９】
前記立体視画像の視差設定を修正するように構成された命令手段をさらに有する、
請求項７ないし８いずれか一項に記載のアクティブメガネ。
【発明の詳細な説明】
【技術分野】
【０００１】
本発明は、３次元画像及び／又は３次元のビデオの特性の設定の分野に関する。また、本発明は、３次元画像のレンダリングに関連する複数の装置管の情報交換の分野にも関する。
【背景技術】
【０００２】
先行技術によると、ビデオ処理に用いて、立体視法などにより浮き上がり感（perception of relief）を回復する方法がある。立体視法では、２つのビデオカメラ又はカメラで、互いに水平方向に離れた異なる視点から、同じシーンのビューを２つ記録する。同じシーンのこれら２つのビューを、時間的に順次的に（まず左画像を表示し、その次に右画像を表示し、その後同様に）、又は空間的にインターリーブして（まず左画像のラインを表示し、次に右画像のラインを表示し、その後同様に）、ディスプレイ装置（ＰＤＰ（プラズマディスプレイパネル）タイプ、又はＬＣＤ（液晶ディスプレイ）タイプのもの、あるいはビデオプロジェクタ）に表示して、深度情報である浮き上がり感を回復する。３次元画像における３次元効果の大きさ又は浮き上がり感は、左右画像の視差（disparity）に直接的に依存する。これは記録されるシーンの同じ要素を表す、ディスプレイ装置のレベルにおける同じビデオ情報を表す左画像の一画素と右画像の一画素である２つの画素を隔てている距離（例えば、画素数で測定可能なもの）である。一般的に、フィルムやビデオの左右画像の視差は、一定であり、ディレクタにより決定される。視差は、そのシーンを撮影している左右のカメラ間の距離に対応する。これら２つのカメラは６．５ｃｍの距離だけ離されることが多い。この距離は、人の両目の平均距離に対応している。
【０００３】
カメラ間の距離は平均に対応するように選択されるので、視差を３次元効果の大きさに合わせる必要性は、フィルムや３次元画像を見る各人が、見ていて疲れにくい、又は疲れないようにするため、立体視３次元画像の左右画像の視差をその人のビューに合わせられるようにする必要がある。さらに、見る人によっては大きな３次元効果は不都合なので、画像の深度を設定する３次元効果の大きさを調節したがる。
【０００４】
さらに、立体視コンテンツ（３次元画像又は３次元ビデオ）をレンダリングするディスプレイ装置には、アクティブメガネが付随することが知られている。アクティブメガネを用いるシステムでは、立体視コンテンツの左右画像は、ディスプレイ装置に、順次的にすなわち１つずつ表示される。そして、一方の目が表示画像を見ている間は、付随する（アクティブ）メガネが、表示画像を見てはいけない他方の目を遮らなければならない（例えば、右目だけが右画像を見ることができ、左目だけが左画像を見ることができなければならない）。これは、レンズに、光すなわち表示（左右）画像を通す又は通さないＬＣＤ（「液晶ディスプレイ」）パネルなどを組み込んだアクティブメガネの利用により実現できる。こうするため、アクティブメガネは、ディスプレイ装置と同期して、右画像の表示中は左目の視界だけが遮られ、左画像の表示中は右目の視界だけが遮られるようにしなければならない。それゆえ、ある３次元ディスプレイ装置に付随するアクティブメガネは、その３次元ディスプレイ装置と同期され、それにより制御される。
アクティブメガネを有し、好適なディスプレイ装置において立体視コンテンツを見ている人により３次元効果の大きさの設定には、立体視コンテンツの画像の表示の、アクティブメガネのレンズのブランキングとの同期などについて、問題が生じる。
【発明の概要】
【０００５】
本発明の目的は、こうした先行技術の少なくとも１つの欠点を解消することである。
【０００６】
より具体的には、本発明は、立体視コンテンツのレンダリングに係わる異なる３次元装置の同期と干渉しないように、立体視コンテンツの視差設定情報の処理を最適化するように設計されている。
本発明は、
立体視画像の視差設定を表す情報を送信する方法に関する。前記立体視画像は、異なる２つの視点による同じシーンを表す第１の画像と少なくとも第２の画像を有する。該方法は、ある時間に前記設定情報を送信するステップを有し、前記送信する時間は、アクティブメガネのレンズが確立されたオープン状態又はクローズド状態にある時間スロットに属する。
【０００７】
具体的な特徴によると、アクティブメガネのレンズが確立されたオープン状態又はクローズド状態にある時間スロットは、同期信号の受信時間により決まる。
【０００８】
好都合にも、前記送信する時間は、アクティブメガネの一レンズが確立されたオープン状態又はクローズド状態にある時間スロットの始めに属する。
【０００９】
具体的な特徴によると、該方法は、送信前に、視差設定を表す情報をメモリに記憶するステップを有する。
【００１０】
好都合にも、前記視差設定を表す情報は無線伝送チャンネルを介して送信される。
【００１１】
好都合にも、前記立体視画像は、第１の画像と少なくとも第２の画像を含むビデオストリームに属し、異なる視差情報が各第２の画像に関連付けられている。
【００１２】
また、本発明は、立体視画像の視差レベルを調整する方法に関する。前記立体視画像は、異なる２つの視点による同じシーンを表す第１の画像と第２の画像を有し、前記方法は、視差設定を表す情報を受信するステップを有する。また、受信した視差設定を表す情報に応じて前記立体視画像の視差レベルを設定するステップをさらに有し、前記設定は、前記第１の画像の表示と前記第２の画像の表示の間の遷移時間とは異なる時間に処理される。
【００１３】
他の一特徴によると、該方法は、同期信号を送信するステップを有し、前記同期信号は、前記第１と第２の画像の表示シーケンスを表す情報を含む。
【００１４】
具体的な特徴によると、該方法は、視差レベルが設定される前に、受信した視差設定を表す情報をメモリに記憶するステップをさらに有する。
【００１５】
好都合にも、前記設定の処理時間は、前記第１と第２の画像の一方の表示に対応する時間スロットに属する。
【００１６】
本発明はさらに、第１の画像と第２の画像を含む立体視画像の視差設定を表す情報を送信するように構成された装置に関する。該装置は、前記視差情報を表す情報を送信するように構成された送信器を有し、アクティブメガネのレンズが確立されたオープン状態又はクローズド状態にある時間スロットに属する、前記視差設定を表す情報の送信時間を決定するように虹彩された計算ユニットを有する。
【００１７】
好都合にも、該装置は、前記第１と第２の画像の表示シーケンスを表す情報を含む同期信号を受信するように構成された受信器を有する。
【００１８】
他の一特徴によると、前記立体視画像の視差設定を修正するように構成された命令手段を有する。
【図面の簡単な説明】
【００１９】
添付図面を参照した以下の説明を読めば、本発明をよく理解でき、その他の具体的な特徴と利点がはっきりするであろう。
【図１Ａ】本発明の一実施形態による３次元装置を有するネットワークを示す。
【図１Ｂ】本発明の他の一実施形態による３次元装置を有するネットワークを示す。
【図２】本発明の一実施形態による、図１Ａと図１Ｂのネットワークの３次元ディスプレイ装置においてレンダリングする異なる２つの３次元コンテンツのフレームシーケンスを示す図である。
【図３】本発明の一実施形態による、図１Ａと図１Ｂの３次元デバイスに関連する視差設定情報の処理モジュールの構成を示す図である。
【図４】本発明の一実施形態による、２つの図３の処理モジュールによる３次元コンテンツの視差設定と実施に関連するタスクシーケンスを示す図である。
【図５Ａ】本発明の一実施形態による、図１の３次元装置により実行される命令シーケンスを示す図である。
【図５Ｂ】本発明の他の一実施形態による、図１の３次元装置により実行される命令シーケンスを示す図である。
【図６】本発明の一実施形態による、図３の処理モジュールにおいて実施される視差設定を表す情報の送信方法を示す図である。
【図７】本発明の一実施形態による、図３の処理モジュールにおいて実施される視差設定方法を示す図である。
【発明を実施するための形態】
【００２０】
本発明を、立体視画像の視差設定を表す情報の送信方法の第１の実施形態を参照して説明する。立体視画像は、都合良く、第１画像（例えば左画像）と第２画像（例えば右画像）よりなる。第１画像と第２画像は、異なる２つの視点からの同じシーンを表す。ユーザの脳により第１画像と第２画像が合成されることにより、３次元でこのシーンの画像のレンダリングが得られる。説明する第１の、非限定的実施形態によると、視差設定を表す情報は、すなわち、立体視画像に含まれるユーザが望む３次元効果の大きさレベルを表す情報は、ある時点で送信される。送信時は、３次元ディスプレイ装置における第１画像の表示と第２画像の表示との間の遷移に対応する時間を考慮して、決定される。本発明の具体的な、非限定的実施形態によると、設定情報は、アクティブメガネなどの第１の３次元装置に付随した、かかる情報の生成、処理、及び送信に適したモジュールから、その設定情報を処理するように構成されたモジュールを備えた３次元装置などの第２の３次元装置に、送信される。設定情報は、３次元装置により、１つ以上の立体視画像を表すデータの処理に適した装置により理解される。
【００２１】
また、本発明を、立体視画像の視差レベルの設定方法の第２の実施形態を参照して説明する。第２の実施形態によれば、視差設定を表す情報は、３次元装置により、例えば３次元ディスプレイ装置又は（例えば１つ以上の立体視画像よりなる）３次元コンテンツを３次元ディスプレイ装置に送信する３次元ソースにより受信される。立体視画像の視差の設定は、受信された設定情報に基づいて、ある時点で立体視画像に適用される。設定が適用される時点は、好都合にも、３次元ディスプレイ装置における第１画像の表示と第２画像の表示との間の遷移に対応する時間を考慮して、決定される。
【００２２】
図１Ａは、本発明の第１の、非限定的実施形態による３次元装置を有するネットワーク１を示す図である。ネットワーク１は例えばドメスティックネットワークに対応する。ネットワーク１は、複数の３次元デバイス、すなわち少なくとも１つのアクティブメガネが付随するディスプレイ装置よりなるシステムによる３次元ビデオコンテンツのレンダリングのために３次元ビデオを表すデータを処理できるデバイスを有する。ネットワーク１は、具体的に、３次元装置の間に、ゲートウェイ１０（例えば、ＡＤＳＬ、ＦＴＴＨ（Fiber To The Home）、又はＷｉｍａｘ（Worldwide
Interoperability for Microwave Access））、ＬＣＤ、ＰＤＰ（Plasma
Display Panel）、またはＯＬＥＤ（Organic Light-Emitting Diode）タイプのディスプレイスクリーン１４、セットトップボックス１３、及び２つのアクティブメガネ１１、１２を有する。
【００２３】
ゲートウェイ１０は、好都合にも、イーサネット（登録商標）タイプ（ISO/IEC ８８０２−３標準による）などの有線リンクを介してセットトップボックス１３に接続されている。変形例では、ゲートウェイ１０は、例えばＷｉｆｉ（登録商標）タイプの無線リンクを介してセットトップボックス１３とリンクされている。セットトップボックス１３は、例えば、ＨＤＭＩ（High Definition Multimedia Interface）タイプの有線リンクを介してディスプレイスクリーン１４と接続されている。変形例では、セットトップボックス１３は、例えばＷｉｆｉ（登録商標）タイプの無線リンクを介してディスプレイスクリーン１４と接続されている。２つのアクティブメガネ１１、１２は、それぞれ、例えばＩＥＥＥ８０２．１５．１標準に基づく「ブルーツゥース」タイプ、又はＩＥＥＥ８０２．１５．４標準に基づく「Ｚｉｇｂｅｅ（登録商標）」タイプ、又はＷｉｆｉ（登録商標）タイプの無線リンクを介してディスプレイスクリーン１４とリンクされている。メガネ１１，１２とディスプレイスクリーン１４との間のこれらの無線リンクは、図１では黒い太線の両方向矢印により示した。好都合にも、アクティブメガネ１１，１２は、ディスプレイスクリーン１４上に３次元表示される３次元コンテンツのレンダリングのために、ディスプレイスクリーンに付随している。アクティブメガネ１１，１２の右のレンズ（及び左のレンズ）は、スクリーン１４における立体視画像の左画像（及び右画像）の表示中に、ブランキングされる。アクティブメガネ１１、１２がディスプレイスクリーン１４に付随していることは、図１Ａにおいて、アクティブメガネとディスプレイスクリーン１４との間の点線の矢印により示した。
【００２４】
一実施形態では、好都合にも、第１の観客は第１のアクティブメガネ１１をかけ、第２の観客は第２のアクティブメガネ１２をかけ、第１と第２の観客は両方ともディスプレイスクリーン１４を見ている。この例によると、両方の観客は同じ３次元コンテンツを異なる視差レベルで見ている。第１の観客は、第１の視差レベルで第１の３次元コンテンツ（例えば、あるシーンを表す第２の立体視画像シーケンス）を見ており、第２の観客は、第１の視差レベルとは異なる第２の視差レベルで、第２の３次元コンテンツ（すなわち、例えば、第１の立体視画像シーケンスと同じシーンを表す第２の立体視画像シーケンス）を見ている。Ｌ１とＲ１がそれぞれ第１の３次元コンテンツの左画像と右画像を表し、Ｌ２とＲ２がそれぞれ第２の３次元コンテンツの左画像と右画像を表すとして、２つの３次元コンテンツの左画像と右画像の表示シーケンスは次の通りである：Ｌ１，Ｒ１，Ｌ２，Ｒ２，Ｌ１，Ｒ１，Ｌ２，Ｒ２，．．．。第１と第２の３次元コンテンツの表示は、このように、時間的観点から順次的であり、また各３次元コンテンツの左右画像の表示は時間的観点から順次的である。図２は、立体視画像の左右画像に対応する２つの３次元コンテンツの第１と第２の画像を表す情報シーケンスを示す。フレーム２０は時間的に分割され、フレーム２０１の第１の時間スロットは、第１の３次元コンテンツの第１の立体視画像の左画像Ｌ１を表すデータを有する。その後の時間スロット２０２は、第１の３次元コンテンツの第１の立体視画像の右画像Ｒ１を表すデータを有する。第２の時間スロット２０２の後の第３の時間スロット２０３は、第２のコンテンツの第１の立体視画像の左画像Ｌ２を表すデータを有し、その次の時間スロット２０４は、第２の３次元コンテンツの第１の立体視画像の右画像Ｒ２を表すデータを有する。そして、その次の時間スロット２０５は、第１の３次元コンテンツの第２の立体視画像の左画像Ｌ１を表すデータを有し、その次の時間スロット２０６は、第１の３次元コンテンツの第２の立体視画像の右画像Ｒ１を表すデータを有する。そして、その次の時間スロット２０７は、第２の３次元コンテンツの第２の立体視画像の左画像Ｌ２を表すデータを有し、その次の時間スロット２０８は、第２の３次元コンテンツの第２の立体視画像の右画像Ｒ２を表すデータを有する。また、図２は、第１の３次元コンテンツのレンダリングに用いられる第１のアクティブメガネ１１の左レンズ２１と右レンズ２２が、ブランキングされる（黒で示す）又は光を通す（白で示す）時間スロットを示す。第１のアクティブメガネ１１の左のレンズ２１は、第１の３次元コンテンツの左画像Ｌ１が表示されている間のフレーム２０の時間スロット２０１と２０５に時間的に対応する時間スロット２１１と２１２の間に光を通す。フレーム２０の他の時間スロット中、第１のアクティブメガネ１１の左のレンズ２１はブランキングされる。第１のアクティブメガネ１１の右のレンズ２２は、第１の３次元コンテンツの右画像Ｒ１が表示されている間のフレーム２０の時間スロット２０２と２０６に時間的に対応する時間スロット２２１と２２２の間に光を通す。フレーム２０の他の時間スロット中、第１のアクティブメガネ１１の右のレンズ２２はブランキングされる。同様に、第２のアクティブメガネ１２の左のレンズ２３は、第２の３次元コンテンツの左画像Ｌ２が表示されている間のフレーム２０の時間スロット２０３と２０７に時間的に対応する時間スロット２３１と２３２の間に光を通す。フレーム２０の他の時間スロット中、第２のアクティブメガネ１２の左のレンズ２３はブランキングされる。第２のアクティブメガネの右のレンズ２４は、第１の３次元コンテンツの右画像Ｒ２が表示されている間のフレーム２０の時間スロット２０４と２０８に時間的に対応する時間スロット２４１と２４２の間に光を通す。フレーム２０の他の時間スロット中、第１のアクティブメガネ１２の左のレンズ２４はブランキングされる。
【００２５】
好都合にも、第１と第２の３次元コンテンツは、左右の立体視画像の間の視差を変えて、すなわち深度情報を変えて、すなわち３次元効果のレベルで大きさを変えて表示された同じビデオに対応する。この例では、フレーム２０は、例えば、第１の時間スロット２０１に、第１の左画像を表すデータと、第１の時間スロット２０１の時間的に次の第２の時間スロット２０２に、（第１の左画像に対して第１の視差を有する）第１の右画像を表すデータと、第２の時間スロット２０２の時間的に次の第３の時間スロット２０３に、（第１の左画像に対して第２の視差を有する）第２の右画像を表すデータとを有する。［第１の左画像と第１の右画像］のペアと［第１の左画像と第２の右画像］のペアとは、同じシーン（又は同じビデオ）を表すが、深度が異なる（すなわち、３次元レベルが異なる）。他の立体視画像でも同じことが繰り返される、すなわち、時間的に、左画像、第１の視差の右画像、第２の視差の右画像。
【００２６】
一変形例では、フレーム２０は図２に示された例とは異なる分け方をされてもよい。この有利な変形例によると、フレームは、例えば、（この例では同じシーンを表している）第１と第２の３次元コンテンツの左画像を表すデータを有するフレームの第１の時間スロットを有する。よって、フレーム２０の第１の時間スロットに対応する左画像は、２つの３次元コンテンツに共通である。よって、フレームは、（第１の時間スロットの直後の）第２の時間スロットに、第１の３次元コンテンツの右画像を表すデータを有する（第１の時間スロットの左画像と第２の時間スロットの右画像は、第１の３次元コンテンツの第１の立体視画像を構成する）。よって、（第２の時間スロットの直後の）フレーム２０の第３の時間スロットは、第２の３次元コンテンツの右画像を表すデータを有する（第１の時間スロットの左画像と第３の時間スロットの右画像は、第２の３次元コンテンツの第１の立体視画像を構成する）。第１と第２のアクティブメガネ１１、１２の動作は次の通りである。すなわち、第１の時間スロット中、各アクティブメガネ１１、１２の右のレンズがブランキングされる（この第１の時間スロット中、各アクティブメガネ１１、１２の左のレンズは光を通す）。第２と第３の時間スロット中、各アクティブメガネ１１、１２の左のレンズがブランキングされる（第２の時間スロット中、第１のメガネ１１の右のレンズは光を通す（第２のメガネ１２の右のレンズはそれ自体ブランキングされる）。第３の時間スロット中、第２のメガネ１２の右レンズは光を通す（第１のメガネ１１の右のレンズはそれ自体ブランキングされる）。このようなフレーム２０の時間的分割は、左右のレンズがブランキングされる時間を制約する、３次元コンテンツの左画像と、異なる３次元コンテンツに関連する各右画像との間の表示時間を最大限減少することにより、複数の３次元コンテンツの画像を表すデータを含むことができるという利点を有する。この例によると、３つ以上の３次元コンテンツ（例えば、３、４、５又は１０個のコンテンツ）であってそれぞれが同じシーン（又は同じビデオ）を表すが視差レベルが異なる（そして３次元効果の大きさも異なる）３次元コンテンツを、同じフレームで伝送することがもちろん可能であり、原理は同じであり、第１のデータスロットがすべてのコンテンツに共通の第１の画像（左又は右）のデータを有し、その後に、フレーム中の異なる３次元コンテンツの数だけの時間スロットが続き、その第１のスロットに続くスロットは、それぞれ、第２の画像のデータ（それぞれ右又は左）を有する。
【００２７】
好都合にも、異なる３次元コンテンツは、ソース３次元コンテンツからの視差補償補間により求められる。３次元コンテンツが第１の画像（例えば左）と第２の画像（例えば右）を有する立体視画像に対応する場合、補間画像は、ソース（又は最初の）立体視画像の左右画像から視差補償補間により生成される。よって、補間係数αを可変することにより、ソース立体視画像から必要なだけ多数の補間画像を生成することが可能である。αは有利にも０と１の間にある。（それぞれ視差がソース立体画像の視差と異なる３次元コンテンツに対応する）新しい立体視画像を構成するため、ソース左画像と（ソース右画像を置き換える）補間画像よりなる画像ペア、又はソース右画像と（ソース右画像を置き換える）補間画像よりなる画像ペア、又は（ソース左右画像を置き換える）２つの補間画像よりなる画像ペアを構成することが可能である。
【００２８】
他の一変形例によると、第１と第２の３次元コンテンツは、異なるビデオに対応する。すなわち、第１の３次元コンテンツは第１のシーンを表し、第２の３次元コンテンツは第１のシーンとは異なる第２のシーンを表す。
【００２９】
図１Ｂは、本発明の第２の、非限定的実施形態による同じ３次元装置を有する、図１Ａに示したネットワーク１を示す図である。図１Ｂに示した３次元装置は、図１Ａのものと同じであり、同じ参照符号を付した。図１Ｂと図１Ａの違いは、図１Ｂでは、アクティブメガネ１１、１２が無線リンクを介してゲートウェイ１０に接続されている点にある。これらの無線リンクは、例えば、ＩＥＥＥ８０２．１５．１標準に基づく「ブルートゥース」タイプ、またはＩＥＥＥ８０２．１５．４標準に基づく「Ｚｉｇｂｅｅ（登録商標）」タイプ、またはＷｉｆｉ（登録商標）タイプのものである。これらの無線リンクは、例えば、各アクティブメガネ１１、１２とゲートウェイ１０との間での同期情報の交換に使われ、アクティブメガネの左のレンズ（又は右のレンズ）のブランキングが、ディスプレイスクリーン１４に表示する立体視画像の右画像（又は左画像）の表示と同期するようになっている。ゲートウェイ１０は、３次元コンテンツ（例えば、立体視画像のシーケンス）を表すデータフローを、ディスプレイスクリーン１４に表示するため、セットトップボックス１３に送信する。
【００３０】
図３は、本発明の非限定的な一実施形態による、視差設定情報処理モジュール３の一実施形態を示す。
【００３１】
処理モジュール３は、次の要素を有する：
−データ（例えば、同期信号及び／又は３次元又は立体視コンテンツに関連する視差の設定レベルに関する情報）の送受信に適した送信部３１、
−前記送信部３１に接続されたアンテナ３２、
−クロック信号も搬送する、アドレス及びデータバスにより前記送信部３１に接続されたマイクロプロセッサ３３（またはＣＰＵ）、
−クロック信号も搬送するアドレス及びデータバスにより前記マイクロプロセッサ３３に接続されたＲＡＭ（Random Access Memory）３４、
−コマンドの検証（validation）に適した、アドレス及びデータバスにより前記マイクロプロセッサ３３に接続されたユニット３５。
ランダムアクセスメモリ３４は、特に：
−レジスタ中に、処理モジュール３のスイッチングに応じる前記マイクロプロセッサ３３のオペレーティングプログラム、
−ユーザが要求する視差設定レベルを表すデータ、
−同期を表すデータ。
【００３２】
本発明による、以下に説明する方法のステップを実施するアルゴリズムは、これらのステップを実施する処理モジュール３に付随するＲＡＭ３４メモリ（または、図示しないＲＯＭ）に記憶されている。電源を投入すると、マイクロプロセッサ３３はこれらのアルゴリズムの命令をロードして実行する。
【００３３】
留意点として、メモリ３４の説明で用いる用語「レジスタ」は、上記の各メモリにおける、小容量（少量のバイナリデータ）のメモリ領域、及び（プログラム全体を格納できる、または受信した又はブロードキャストするデータの全部又は一部を格納できる）大容量のメモリ領域を指す。
【００３４】
コマンドの検証に好適なユニット３５は、好都合にも、ユーザに３次元コンテンツに関連する視差の設定を制御させる任意の機械的又は電子的装置に対応する。ユニット３５は、例えば、プッシュボタンタイプのスイッチ、各インクリメントが視差の設定レベルに対応するサムホイール、かけられた圧力の検出に適したタッチ検出パッド、ユーザが発しマイクロプロセッサ３３により解釈されるボイスコマンドの記録に適したボイス制御装置に対応する。
【００３５】
処理モジュール３は、好都合にも、メガネ１１と１２に組み込まれている。一変形例によれば、処理モジュール３は、メガネとは別になっているが、そのメガネに付随するのに適している。他の一変形例によれば、処理モジュール３は、ディスプレイスクリーン１４に付随するリモートコントロールに組み込まれている。
【００３６】
処理モジュール３は、好都合にも、アクティブメガネ１１又は１２に付随する、又はディスプレイスクリーンに付随するリモートコントロールに付随する処理モジュールにより送信された任意の視差設定コマンド信号の処理と解釈をするため、ディスプレイスクリーンに組み込まれている。この変形例によれば、処理モジュールは、ユーザによる設定コマンドの検証に適したユニット３５を有さない。一変形例によれば、図１Ｂに示したように、アクティブメガネ１１と１２がゲートウェイ１０に接続されている場合、設定検証ユニット３５を有さない処理モジュール３がゲートウェイ１０に組み込まれるか、付随している。
【００３７】
さらに別の一変形例によれば、処理モジュール３はどの３次元装置（アクティブメガネ、ディスプレイスクリーン、ゲートウェイ、セットトップボックス）からも独立したＰｎＰ（プラグアンドプレイ）モジュールである。この変形例によれば、処理モジュール３は、ＵＳＢ（Universal Serial Bus）タイプ又はブルートゥースタイプ又はＺｉｇｂｅｅ（登録商標）タイプの通信インタフェースを有する。この変形例によれば、任意の３次元装置（アクティブメガネ、ディスプレイスクリーン、ゲートウェイ、セットトップボックス）に付随するのに適した処理モジュールは、好適な通信インタフェース（前述の実施形態によるＵＳＢ、ブルートゥース、又はＺｉｇｂｅｅ（登録商標））を有する。
【００３８】
図４は、本発明の非限定的な一実施形態による、３次元コンテンツの視差の設定に関連するタスクシーケンスを示す。また図４は、一方のアクティブメガネＬ４０と、他方のディスプレイスクリーンＲ４１（又は、他の一実施形態ではゲートウェイ１０）との間で交換される情報を示す。アクティブメガネ４０とディスプレイスクリーン４１（又はゲートウェイ１０）とは、好都合にも、それぞれ処理モジュール３（３次元装置に直接組み込まれているか、又は拡張モジュールとして３次元装置に付随して）を備えている。
【００３９】
初期化フェーズ４００１中、ディスプレイスクリーンに付随する処理モジュールは、ディスプレイスクリーンにおける３次元コンテンツのビューイング条件を示すデータを読み出す。ディスプレイスクリーンに関連するビューイング条件は、ディスプレイスクリーンの幅、目標スクリーンのビューイング距離、これはディスプレイスクリーン上の３次元コンテンツを見る推奨距離であり、及び／又はディスプレイスクリーンのラインごとの画素数などのパラメータを含む。これらのパラメータから、処理モジュールは、ディスプレイスクリーンにおいて３次元コンテンツを見るための最適視差を求める。例えば、同じ３次元コンテンツを見るのでも、リビングルームのフラットスクリーン（例えば、幅１ｍの場合、解像度は１９２０×１０８０（すなわち、１０８０ラインの１ラインごとに１９２０画素）であり、ビューイング距離は３ｍである）で見るのと、テーブルスクリーン（幅２０ｃｍの場合、解像度は１０２４×７６８（すなわち、７６８ラインの１ラインごとに１０２４画素）であり、ビューイング距離は５０ｃｍである）で見るのとでは、視差レベルは異なり、すなわち３次元効果の大きさが異なる。単に例示を目的として、リビングルームのフラットスクリーンで見る３次元コンテンツは視差レベル１００％（ソース立体視コンテンツの２つの画像間の最大視差に対応する）で見ることができるが、タブレットで見る同じ３次元コンテンツは視差レベル５０％（すなわち、画像の画素の最大深度と最小深度は、ソース立体視コンテンツの最大視差に対して半分になる）で見られる。このように決定される最適視差は、好都合にも、視差情報の設定においてユーザが修正できる基準視差レベルとして用いられる。一変形例では、この基準視差レベルは、あるスクリーン上で立体視コンテンツを見ることによりユーザが得られる最大視差レベルに対応する。このように、視差設定は、立体視コンテンツに関連する視差を低下させることである。さらに別の一変形例によると、基準視差レベルは、ディスプレイスクリーンに関連するビューイング条件により決まるのではなく、ディスプレイスクリーンから直接得られる。この情報は、例えば、ディスプレイスクリーンのメモリに記憶される。他の一変形例によれば、基準視差レベルはディスプレイスクリーンから決定されるのでも、それから読み出されるのでもない。この変形例によれば、基準視差レベルはソース立体視コンテンツの視差に対応する。
【００４０】
初期化フェーズ４００１は、好都合にも、アクティブメガネのスイッチがオンになった時、そのアクティブメガネのディスプレイスクリーンとの又はゲートウェイとの関連付けを含む。アクティブメガネのスイッチがオンになると、アクティブメガネは、ディスプレイスクリーンに付随する又はゲートウェイに付随する処理モジュール３から（又はゲートウェイから）、関連付けられたディスプレイスクリーンにおいて３次元コンテンツを見るのに用いられた最後の視差設定を表す情報を受け取る。既存設定が記録されていなければ、アクティブメガネには、例えば、ディスプレイスクリーンに関連する基準視差レベルに対応するデフォルトの視差レベルを送信する。
【００４１】
そして、フェーズ４００２中、ディスプレイスクリーン（又はゲートウェイ）に付随する処理モジュールは、アクティブメガネの一方のレンズのオープン状態とクローズド状態への遷移、及び他方のレンズのクローズド状態からオープン状態への遷移に関する情報を含むコマンド信号を送信する（この信号は左右スイッチング信号と呼ぶ）。図５Ａと図５Ｂを参照してより詳細に説明するように、レンズのオープン状態からクローズド状態への遷移は、ディスプレイスクリーン上の立体視画像の第１の画像の表示から、同じ立体視画像の第２の画像の表示への遷移に対応する遷移に直接関係する。左右スイッチング信号は、好都合にも、メガネのレンズの状態変化（オープン状態からブランキング状態への遷移及びその逆）を、ディスプレイスクリーンにおける立体視画像の第１と第２の画像の表示遷移と同期させられる。言い換えると、左右スイッチング信号は、好都合にも、アクティブメガネを、ディスプレイスクリーン上に表示する画像を表すデータを送信するディスプレイスクリーンに及び／又はそのゲートウェイに同期させる同期信号に対応する。
【００４２】
まず、時刻ｔ４０１に、ユーザが、設定レベルを選択するコマンドをアクティベートして、現在の視差の設定レベルを修正する。左右スイッチング信号４００２の受信に応じて、アクティブメガネに付随する処理モジュールは、左右スイッチング信号の受信中及び／又はメガネのレンズの（オープンとクローズドの）状態変化時間中、設定情報が送信されないように、ある決められた時間４０２だけ、メモリに、（ユーザが要求する設定に対応する）現在の視差設定の修正を表す情報を記憶している。
【００４３】
左右スイッチング信号４００２、４００３、４００５は、好都合にも、例えば、フレーム間時間４１０（立体視画像の左画像又は右画像に対応するフレーム）に対応する規則的時間スロットにおいて定期的に送信される。アクティブメガネとディスプレイスクリーンとの間の同期とぶつからずに、視差設定の修正を表す情報を送信できる時間スロットは、一定の長さを有し、周期的な発生頻度を有する。
【００４４】
左右スイッチング信号４００３がディスプレイスクリーン（又はゲートウェイ）に付随する処理モジュールにより送信され、アクティブメガネに付随する処理モジュールにより受信され解釈される場合、視差設定の修正情報を含む信号４００４は、アクティブメガネに付随する処理モジュールにより送信される。ディスプレイスクリーン（又はゲートウェイ）に付随する処理モジュールによりその信号が復号され、信号に含まれる情報が解釈されると、ユーザにより要求された新しい視差レベルが、ディスプレイスクリーンに表示される３次元コンテンツに適用される。図２を参照して説明したように、視差レベルの変更の適用は、例えば、ソース３次元コンテンツの視差補正補間により適用される。
【００４５】
第２の時刻ｔ４０において、ユーザが、新しい視差レベルを選択するコマンドを、再びアクティベートする。このコマンドは、アクティブメガネの左右のレンズの交互のブランキングと、ディスプレイスクリーンに表示される３次元コンテンツの第１と第２の画像の表示との間の同期とぶつからないように、左右スイッチング信号４００３を受信した時にディスプレイスクリーン（又はゲートウェイ）に付随する処理モジュールに送信４００６するため、アクティブメガネに付随する処理モジュールのメモリに記憶される４０４。
【００４６】
図５Ａは、本発明の第１の、非限定的実施形態による、ディスプレイスクリーン５４（又はゲートウェイ）に関連する、及びアクティブメガネ５７に関連する視差設定情報の処理モジュール３により実行されるタスクシーケンスを示す。図５Ａは、視差設定を表す情報の送信及び／又は処理が、アクティブメガネとディスプレイスクリーン（又はゲートウェイ）との間に設定された同期プロセスとぶつからないように、３次元コンテンツ（一般的には、左画像と右画像を有する立体視画像）のレンダリングに係わる３次元装置（一般的には、一方のアクティブメガネと、他方のディスプレイスクリーン及び／又はゲートウェイ）に関連する視差設定情報の、処理モジュール間での情報交換に関連する時間的制約を示す。図示した時間スケールは、フレーム間時間Ｔに対応する。すなわち、第１の立体視画像を表す第１のフレームは、ゲートウェイによりディスプレイスクリーンに時刻０に送信され、第１の立体視画像に時間的に続く第２の立体視画像を表す第２のフレームは、ゲートウェイによりディスプレイスクリーンに時刻Ｔに送信される。図５Ａに示した各矢印は、ある時刻に実行するタスクを示し、矢印の元はその矢印に対応するタスクのプロセスが何時必要か示し、矢印の先は実行するタスクのレベルである。
【００４７】
時刻０に対応する時刻ｔ１において、左右スイッチング信号５１は、（ディスプレイスクリーン又はゲートウェイに付随する）処理モジュールにより、ディスプレイスクリーン５４と、アクティブメガネ５７とに送信される。
【００４８】
時刻ｔ１の後のｔ２において、アクティブメガネ５７の右のレンズＲ５６がブランク状態になる。実際、立体視画像を表すフレームに含まれる第１の画像は左画像に対応する。左右スイッチング信号が送信されると、処理時間を考慮して実行される第１のタスクは右のレンズのブランキングである。右のレンズのブランキング実行要求の直後の時間スロット５６１は、非ブランク状態からブランク状態への変化に必要な時間に対応する。この時間５６１が経過すると、アクティブメガネの右のレンズＲ５６は、時間スロット５６２中はブランク状態に留まる。
【００４９】
時刻ｔ２の後のｔ３において、ゲートウェイによりディスプレイスクリーンに送信されたフレームからのデータの抽出と、左画像のレンダリングとが、ディスプレイ装置Ｄ５４のレベルで開始される。３に続く時間スロット５４１は、左画像を表すデータを抽出し、前の立体視画像の右画像の表示から、現在の立体視画像の左画像の表示に変更するのに必要な時間に対応する。
【００５０】
時刻ｔ３の後のｔ４において、ユーザが現在のディスプレイレベルの設定の修正を命令する。要求されたディスプレイレベルを表す情報は、送信されずに保存される。
【００５１】
時刻ｔ４の後のｔ５において、アクティブメガネ５７の左のレンズＬ５５は、時間スロット５５２に対応する時間の後に、オープン状態に変わる。そして、左のレンズは、時間スロット５５３の間、オープン状態に留まり、時間スロット５４２の間、ディスプレイスクリーン５４に表示される左画像を見る時間を左目に与える。
【００５２】
時刻ｔ５の後のｔ６において、左右スイッチング信号５１に干渉せずに、かつ各アクティブメガネがオープン状態からブランク状態に又はその逆に変化する遷移時間に対応する時間５５２，５６１，５４３，５５４に、又はディスプレイスクリーンにおいて右画像から左画像に（又はその逆に）変化する遷移時間に対応する時間スロット５４１と５４３に干渉せずに、ゲートウェイ又はディスプレイスクリーンに付随する処理モジュールに視差設定を表す情報を送信できる時間スロット５３２に対応する時間ウィンドウが始まる。視差設定を表す情報が送信される時間ウィンドウは、好都合にも、アクティブメガネとディスプレイ装置が、ある確立された状態（すなわち、アクティブメガネの場合にはブランク又はオープン状態、ディスプレイスクリーンの場合には確立された表示状態）にある時間に対応する。
【００５３】
時刻ｔ７，ｔ８，ｔ９，ｔ１０はそれぞれ時刻ｔ５，ｔ３，ｔ２，ｔ６に対応するが、左レンズ５５のオープン状態からブランク状態への変化の場合（遷移時間５５４を含む、時間５５３（オープン状態）から時間５５５（ブランク状態）への遷移）、及び右レンズ５６が時間スロット５４４中に表示された右画像を見られるように、右レンズ５６のブランク状態からオープン状態への遷移の場合（遷移時間５６３を含む、時間５６２（ブランク状態）から時間５６４（オープン状態）への遷移）、左画像から右画像へと表示が変わる遷移時間５４３の後、ディスプレイスクリーンに右画像の表示をする場合である。（同期信号に対応する）左右スイッチング信号とぶつかることなく、また左右画像の表示の遷移時間及びメガネ５７のレンズ５５，５６のブランク状態とオープン状態（またはその逆）の遷移とぶつかることなく、視差設定を表す情報が送信される時間ウィンドウは、時刻ｔ１０に始まり、アクティブメガネとディスプレイ装置とが確立された状態にある時間スロット５３４に対応する。
【００５４】
視差レベルを設定する情報を送信するのに適さない時間スロットを、時間スロット５３１と５３３で示した。これらは、遷移フェーズ（スロット５４１，５５１及び５６１；５４３，５５４及び５６３）に対応する時間に対応し、又はその時間すべてをカバーする。
【００５５】
図５Ｂは、本発明の第２の、非限定的実施形態による、ディスプレイスクリーン５４（又はゲートウェイ）に関連する、及びアクティブメガネ５７に関連する視差設定情報の処理モジュール３により実行されるタスクシーケンスを示す。図５Ａと同じ要素は、図５Ａで用いたのと同じ参照符号を有する。この第２の実施形態では、ユーザが時刻ｔ１１に第２の視差設定を行う。この実施形態では、第２の設定のコマンドは、左右スイッチング信号とも異なる遷移時間ともぶつからないで設定情報を送信できる期間に対応する時間ウィンドウ中にある。時間スロット５３５は、好都合にも、（時刻ｔ４に命令される）第１の視差設定が実行される時間を示す。時刻ｔ１２は、第２の設定を表す情報が時間ウィンドウ中に送信できる期間の開始を示す。第２の設定を表すこの情報を、左画像の確立された表示に対応する時間ウィンドウ中に送信できなかった場合、この情報は、右画像の確立された表示に対応する時間ウィンドウ５３４中に送信される。
【００５６】
留意点として、ユーザの第１のコマンドの実行に続く視差の修正の影響は、図５Ｂには示していない。図２を参照して説明したように、好都合にも、視差の変更は、例えば、ソース右画像を置き換える（メガネのレンズの状態遷移には影響が見られない）、又は左右画像を表すデータフローに組み込まれる（例えば、２つの右画像に対して１つの左画像が、視差レベルが異なる２つの左／右画像ペアを構成する。そのため、メガネのブランク状態からオープン状態への遷移（又はその逆）で影響が見られる。すなわち、左レンズは２つの右画像の表示の間、ブランク状態に留まり、右レンズは、左画像に対する視差が要求された設定レベルに対応しない左画像と右画像の表示の間、ブランク状態に留まる。）（ソース左画像及び右画像のうちの）新しい右画像の生成において見られる。
【００５７】
図６は、本発明の非限定的な一実施形態による、図３の処理モジュールにおいて好都合にも実施される視差設定を表す情報の送信方法を示す図である。
【００５８】
初期化ステップ６０において、アクティブメガネに付随する処理モジュールと、ディスプレイスクリーン又はゲートウェイに付随する処理モジュールのパラメータが、必要に応じて、更新される。具体的に、（例えば、ディスプレイスクリーン又はゲートウェイに付随する処理モジュールにより、又はオペレータからのコマンドにより送信された初期化メッセージの受信に続いて、）視差設定レベル（例えば、スクリーンに関連する基準設定レベル、前に、ディスプレイスクリーンで３次元コンテンツを見るのに用いた設定レベル）に対応するパラメータ、及び／又はアクティブメガネのレンズのブランク状態からオープン状態へ（又はその逆）の遷移を立体視画像の第１画像の表示と第２画像の表示との間の遷移と同期させる、アクティブメガネとディスプレイ又はゲートウェイとの間の同期に対応するパラメータが、何らかの方法で初期化される。
【００５９】
次に、ステップ６１において、第１の画像（例えば、左画像）と第２の画像（例えば、右画像）を有する立体視画像の視差設定を表す情報の送信時間が決定される。送信時間は、好都合にも、ディスプレイスクリーンにおける第１と第２の画像の順次的な表示の間の遷移時間に関連する時間に応じて決められる。第１の画像（例えば、左画像）の表示は、第１のレンズで第１の画像を見られるように、第１のレンズ（この例では左レンズ）のブランク状態からオープン状態への遷移と同期され、第２のレンズ（この例では右レンズ）で第１の画像を見られないように、第２のレンズのオープン状態からブランク状態への遷移と同期される。第２の画像（例えば、右画像）の表示は、第１のレンズで第２の画像を見られないように、第１のレンズ（この例では左レンズ）のオープン状態からブランク状態への遷移と同期され、第２のレンズ（この例では右レンズ）で第２の画像を見られないように、第２のレンズのブランク状態からオープン状態への遷移と同期される。ディスプレイスクリーンにおける第１と第２の画像の順次的な表示の間の遷移時間に対応する送信時間の決定は、アクティブメガネの第１と第２のレンズのオープン状態からブランク状態への、及びその逆の遷移に応じた、この送信時間の決定を意味する。
【００６０】
好都合にも、これらの時間を考慮すると、アクティブメガネのレンズが確立されたオープン又はブランク状態にある時間スロット中に、視差設定情報を送信するために、送信時間を決定することができる。
【００６１】
一変形例では、送信時間は、立体視画像の視差の変更をできるだけ速く適用するために、メガネのレンズの一方の状態に対応する時間の始めに属する。例えば、レンズの一方の確立された状態に対応する同じ時間の始めに設定情報が送信される。
【００６２】
他の一変形例によれば、設定情報の送信時間も、設定情報の送信時間が同期信号の受信時間と異ならないように、同期信号の受信に対応する時間又は期間に応じて決定される。同期信号は、好都合にも、立体視画像が表示されるディスプレイスクリーンに付随する、又はディスプレイスクリーンに接続されたゲートウェイに付随し、ディスプレイスクリーンに表示される立体視画像を表すデータストリームを送信する設定情報の処理モジュールにより送信される。同期信号は、好都合にも、アクティブメガネの各レンズの状態変化（オープン状態からブランク状態へ、又はその逆）時間を表す情報に対応する。状態が変化する時間は、第１の画像の表示と第２の画像の表示の間の遷移時間に直接関係する。同期信号の受信時とは異なる時に設定情報を送信することには、半二重リンクを用いることができるという利点がある。
【００６３】
さらに別の一変形例では、送信時は、同期信号の受信時と同時である。この場合、アクティブメガネに付随する処理モジュールとディスプレイスクリーン（又はゲートウェイ）に付随する処理モジュールとの間は全二重リンクである。
【００６４】
送信時が決まると、設定情報はメモリに記憶され、送信時間が来るまで待つ。
【００６５】
そして、ステップ６２において、視差設定を表す情報は、立体画像が表示されるディスプレイスクリーンに関連する視差設定情報の処理ユニットの宛先に、又は、ディスプレイスクリーンにまたはそれに接続されたセットトップボックスに立体視画像を表すデータを提供するゲートウェイに関連する視差設定情報の処理ユニットの宛先に、送信される。
【００６６】
視差設定情報は、好都合にも、Ｗｉｆｉ（登録商標）、ブルートゥース、又はＺｉｇｂｅｅ（登録商標）タイプなどの無線伝送チャンネルを介して送信される。また、同期信号は、好都合にも、同じタイプの無線伝送チャンネルを用いて受信される。
【００６７】
図７は、本発明の具体的な非限定的実施形態による、１つ以上の立体視画像を表すデータをディスプレイスクリーンに送信するディスプレイスクリーン又は装置に付随する処理モジュール３で実施される視差設定方法を示す図である。
【００６８】
初期化ステップ７０において、アクティブメガネに付随する処理モジュールと、ディスプレイスクリーン又はゲートウェイに付随する処理モジュールのパラメータが、必要に応じて、更新される。具体的に、（例えば、ディスプレイスクリーン又はゲートウェイに付随する処理モジュールにより、又はオペレータからのコマンドにより送信された初期化メッセージの受信に続いて、）視差設定レベル（例えば、スクリーンに関連する基準設定レベル、前に、ディスプレイスクリーンで３次元コンテンツを見るのに用いた設定レベル）に対応するパラメータ、及び／又はアクティブメガネのレンズのブランク状態からオープン状態へ（又はその逆）の遷移を立体視画像の第１画像の表示と第２画像の表示との間の遷移と同期させる、アクティブメガネとディスプレイ又はゲートウェイとの間の同期に対応するパラメータが、何らかの方法で初期化される。
【００６９】
次に、ステップ７１において、例えば、アクティブメガネに付随する設定情報の処理モジュールから、立体視画像の視差設定を表す情報を受信する。この情報は、好都合にも、Ｗｉｆｉ（登録商標）、ブルートゥース、又はＺｉｇＢｅｅ（登録商標）などの無線伝送チャンネルを介して受信される信号に含まれる。
【００７０】
次に、ステップ７２において、設定情報に含まれる設定レベルに対応するディスプレイ設定が、立体視画像に適用され、ディスプレイスクリーンに表示される。視差設定の処理又はその立体視画像への適用は、好都合にも、立体視画像を構成する第１と第２の画像の順次的な表示の間の遷移時間に対応して決められる時間に行われる。この時間を考慮すると、表示が第１画像から第２画像に動く時間スロット中に視差レベルの変更が立体視画像に適用された場合に起こり得る、第１と第２の画像の表示シーケンスと干渉しないという利点がある。第１と第２の画像の表示の間の遷移中に視差レベルを変更すると、要求された視差レベルを得るために表示する画像の復号に遅延が生じるおそれがあり、例えば、ディスプレイスクリーンに接続されたアクティブメガネとの同期問題が生じる。
設定情報を受信する装置に付随する視差設定情報の処理モジュールのレベルにおける視差設定の処理時間の決定により、処理モジュールはこの情報を送信して、制約無しにいつでも設定情報を送信できる。したがって、情報送信のタイムアウトは必要ない。
【００７１】
一変形例によれば、本方法は、１つ以上のアクティブメガネへの、同期信号の送信ステップを有する。同期信号は、第１の画像が表示されるか、第２の画像が表示されるかに応じて、アクティブメガネの第１と第２のレンズがオープン状態又はブランク状態となるように、第１と第２の画像の表示シーケンスを表す情報を含む。
【００７２】
他の一変形例によれば、本方法は、受け取った視差設定を表す情報をメモリに記憶して、先に決定された時に立体視画像に設定を適用するのを待つステップを有する。
【００７３】
好都合にも、設定の処理時間は、第１と第２の画像の表示の間の遷移期間とは異なる時間である、第１の画像又は第２の画像の確立された表示に対応する時間スロットに属する。
【００７４】
当然、本発明は上記の実施形態に限定されない。
【００７５】
特に、本発明は、視差情報の送信方法、視差設定方法、視差設定情報を送信をするように構成された装置には限定されず、送信するように構成された装置を含む任意のシステムや、設定方法を実施する任意のシステム、例えば設定情報の処理モジュールを有するディスプレイスクリーンなどに及ぶ。
【００７６】
有利にも、３次元装置によりレンダリングされる３次元コンテンツのフォーマットは、当業者に知られた３次元ビデオコンテンツの任意のフォーマットに対応し、左信号と右信号を含む立体視画像タイプの３次元コンテンツに限定されない。３次元コンテンツは、例えば、視差マップが関連するビデオ画像や、さらに右画像に対する左画像の視差マップは左画像に関連付けられ、左画像に対する右画像の視差マップは右画像に関連付けられた左画像と右画像のペアに対応する。一変形例によれば、３次元コンテンツは、３以上のビュー、例えば３ビュー、４ビュー、５ビュー又は１０ビューを有する立体視画像に対応する。
なお、実施形態に関し次の付記を記す。
（付記１）  立体視画像の視差設定を表す情報の送信方法であって、前記立体視画像は、異なる２つの視点による同じシーンを表す第１の画像と少なくとも第２の画像を有し、
ある決定された時間に前記視差設定を表す情報を送信するステップを有し、前記送信する時間は、アクティブメガネのレンズが確立されたオープン状態又はクローズド状態にある時間スロットに属することを特徴とする、方法。
（付記２）  アクティブメガネのレンズが確立されたオープン状態又はクローズド状態にある時間スロットは、同期信号の受信時間により決まることを特徴とする、
付記１に記載の方法。
（付記３）  前記送信する時間は、アクティブメガネの一レンズが確立されたオープン状態又はクローズド状態にある時間スロットの始めに属することを特徴とする、
付記１ないし２いずれか一項に記載の方法。
（付記４）  送信前に、視差設定を表す情報をメモリに記憶するステップを有することを特徴とする、
付記１ないし３いずれか一項に記載の方法。
（付記５）  前記視差設定を表す情報は無線伝送チャンネルを介して送信されることを特徴とする、
付記１ないし４いずれか一項に記載の方法。
（付記６）  前記立体視画像は、第１の画像と少なくとも第２の画像を含むビデオストリームに属し、異なる視差情報が各第２の画像に関連付けられていることを特徴とする、
付記１ないし５いずれか一項に記載の方法。
（付記７）  第１の画像と第２の画像を含む立体視画像の視差設定を表す情報を送信するように構成された装置であって、視差情報を表す前記情報を送信するように構成された送信器を有し、
アクティブメガネのレンズが確立されたオープン状態又はクローズド状態にある時間スロットに属する、前記視差設定を表す情報の送信時間を決定するように構成された計算ユニットを有することを特徴とする、装置。
（付記８）  前記第１と第２の画像の表示シーケンスを表す情報を含む同期信号を受信するように構成された受信器を有する、
付記７に記載の装置。
（付記９）  前記立体視画像の視差設定を修正するように構成された命令手段を有することを特徴とする、
付記７ないし８いずれか一項に記載の装置。
（付記１０）  立体視画像の視差レベルを調整する方法であって、前記立体視画像は、異なる２つの視点による同じシーンを表す第１の画像と第２の画像を有し、前記方法は、視差設定を表す情報を受信するステップを有し、
受信した視差設定を表す情報に応じて前記立体視画像の視差レベルを設定するステップをさらに有し、前記設定は、前記第１の画像の表示と前記第２の画像の表示の間の遷移時間とは異なる時間に処理されることを特徴とする、
方法。
（付記１１）  同期信号を送信するステップを有し、前記同期信号は、前記第１と第２の画像の表示シーケンスを表す情報を含むことを特徴とする、
付記１０に記載の方法。
（付記１２）  視差レベルが設定される前に、視差設定を表す情報をメモリに記憶するステップをさらに有することを特徴とする、
付記１０ないし１１いずれか一項に記載の方法。
（付記１３）  前記設定の処理時間は、前記第１と第２の画像の一方の表示に対応する時間スロットに属する、
付記１０ないし１２いずれか一項に記載の方法。
【図１Ａ】
0006667981.tif 000002
【図１Ｂ】
0006667981.tif 000003
【図２】
0006667981.tif 000004
【図３】
0006667981.tif 000005
【図４】
0006667981.tif 000006
【図５Ａ】
0006667981.tif 000007
【図５Ｂ】
0006667981.tif 000008
【図６】
0006667981.tif 000009
【図７】
0006667981.tif 000010